(57)【要約】【課題】複数の基地局と移動局との間の信頼性の高い通信を実現する無線通信システムを提供する。【解決手段】中央装置と、中央装置と結合される複数の基地局と、基地局と無線回線で接続される無線移動局と、無線移動局の走行路に沿って配置され、基地局の各々に接続された２条の漏洩同軸ケーブルを有し、複数の基地局の各々は、２条の漏洩同軸ケーブルの各々に異なるダイバーシチ信号を送信し、移動局は、基地局の各々から送信された異なるダイバーシチ信号をそれぞれ受信する第１及び第２の受信部と、第１及び第２の受信部で受信した信号をダイバーシチ合成する合成部とを有するように構成されている。【選択図】図１
2010183418.tif 000002
【特許請求の範囲】
【請求項１】
中央装置と、該中央装置と結合される複数の基地局と、前記基地局と無線回線で接続される無線移動局と、該無線移動局の走行路に沿って配置され、前記基地局の各々に接続された２条の漏洩同軸ケーブルを有し、
前記複数の基地局の各々は、前記２条の漏洩同軸ケーブルの各々に異なるダイバーシチ信号を送信し、
前記移動局は、前記基地局の各々から送信された前記異なるダイバーシチ信号をそれぞれ受信する第１及び第２の受信部と、前記第１及び第２の受信部で受信した信号をダイバーシチ合成する合成部とを有することを特徴とする無線通信システム。
【発明の詳細な説明】
【技術分野】
【０００１】
本発明は無線通信システムに係り、特に、複数の基地局と移動局との通信で使用されるダイバーシチ受信システムを用いる無線通信システムに関する。
【背景技術】
【０００２】
複数の基地局と移動局との通信において、移動局が移動しながら電波を受信する場合、伝送路の状態によりフェージングあるいはマルチパス等の影響により受信状態が悪くなる場合がある。このような悪い受信状態を改善する方法としてダイバーシチ受信方式が採用されている。ダイバーシチ受信方式は複数のアンテナによって得られる受信信号を信号電力に応じて切替えるか、あるいは、重み付け合成して受信する方法であり、特に、デジタル移動無線システムでは、端末の移動に伴うフェージングに対する耐性を高める有効な手段である。特許文献１および２には、このダイバーシチ受信方式を用いた技術に関して記載されている。
【０００３】
従来の無線システムの一例を図２に示す。図２の無線システムは、例えば、列車無線通信システムの構成例を示す。図２において、２３０は中央装置、２１０および２２０は異なる基地局信号を送信する基地局、２６０および２７０は信号分配器、２８０、２８１、２９０、２９１は漏洩同軸ケーブル、２４０および２５０は、例えば、列車等の無線移動局、２４１は無線移動局２４０の前方右側のアンテナ、２４２は無線移動局２４０の後方右側のアンテナであり、アンテナ２４１および２４２は、いずれか一方が適宜選択的に使用される。２５１は無線移動局２５０の前方右側のアンテナ、２５２は無線移動局２５０の後方右側のアンテナであり、アンテナ２５１および２５２は、いずれか一方が適宜選択的に使用される。漏洩同軸ケーブル２８０、２９０は無線移動局２４０の進行方向（矢印で示す。）に対して右側の漏洩同軸ケーブル、漏洩同軸ケーブル２８１、２９１は、無線移動局２５０の進行方向（矢印で示す。）に対して右側の漏洩同軸ケーブルである。２８２は、漏洩同軸ケーブル２８０、２９０の境界に生じる漏洩電波干渉区間、２８３は、無線移動局２５０の進行方向に対して右側の漏洩同軸ケーブル２８１、２９１の境界に生じる漏洩電波干渉区間である。また、漏洩同軸ケーブル２８０から漏洩される信号をＡ、漏洩同軸ケーブル２８１から漏洩される信号をＡ’、漏洩同軸ケーブル２９０から漏洩される信号をＢ、漏洩同軸ケーブル２９１から漏洩される信号をＢ’とする。
【０００４】
従来の無線システムの動作を説明する。中央装置２３０は送信信号Ｓを基地局２１０および２２０に送信する。基地局２１０では、送信信号Ｓから所定の変調信号Ａを生成し、信号分配器２６０、漏洩同軸ケーブル２８０、２８１を介して漏洩電波Ａ、Ａ’として送信する。また、基地局２２０は中央装置２３０からの送信信号Ｓから所定の変調信号Ｂを生成し、信号分配器２７０、漏洩同軸ケーブル２９０、２９１を介して漏洩電波として送信する。そして、漏洩同軸ケーブル２８０および２８１から漏洩電波として送信される信号は、主に無線移動局２４０のアンテナ２４１または２４２で、また、漏洩同軸ケーブル２９０および２９１からの漏洩電波として送信される信号は、主に無線移動局２５０のアンテナ２５１および２５２で受信される。なお、これは無線移動局２４０が漏洩同軸ケーブル２８０のエリア内に位置する場合、あるいは、無線移動局２５０が漏洩同軸ケーブル２９１のエリア内に位置する場合であり、図２のように漏洩電波干渉区間２８２、あるいは２８３内に位置する場合ではない。
【０００５】
而して、移動局２４０は漏洩同軸ケーブル２８０および２８１のカバーエリア内では、漏洩同軸ケーブル２８０および２８１から漏洩される信号ＡおよびＡ’の合成信号（Ａ＋Ａ’）を受信することとなる。ここで、Ａ、Ａ’は同じ信号である。これら２つの漏洩信号はそれぞれの信号の伝播経路差により干渉を起こすため、合成信号を無線移動局２４０で復調した際に得られる信号Ｓ１の品質は、（１）式で表される。
【０００６】
Ｓ１＝Ａ＋Ａ’＝α１―θ１・・・・・（１）
ここで、α１は漏洩される信号Ａ単独で復調した場合の品質、θ１は干渉による劣化分を表す。
【０００７】
（１）式から明らかなように無線移動局２４０での合成信号を復調した場合の品質は、せいぜい漏洩同軸ケーブル２８０から漏洩される信号Ａを単独で復調した場合の品質（α１）と同等か、それ以下となる。
【０００８】
同様に、無線移動局２５０は漏洩同軸ケーブル２９０および２９１のカバーエリア内では、漏洩同軸ケーブル２９０および２９１から漏洩される信号ＢおよびＢ’の合成信号（Ｂ＋Ｂ’）を受信することとなる。ここで、Ｂ、Ｂ’は同じ信号である。従って、これら２つの漏洩信号はそれぞれの信号の伝播経路差により干渉を起こすため、合成信号を無線移動局２５０で復調した際に得られる信号Ｓ２の品質は、（２）式で表される。
【０００９】
Ｓ２＝Ｂ＋Ｂ’＝α２―θ２・・・・・（２）
ここで、α２は漏洩される信号Ｂ単独で復調した場合の品質、θ２は干渉による劣化分を表す。
【００１０】
（２）式から明らかなように無線移動局２５０での合成信号を復調した場合の品質は、せいぜい漏洩同軸ケーブル２９０から漏洩される信号Ｂを単独で復調した場合の品質（α２）と同等か、それ以下となる。
【００１１】
一方、無線移動局２４０が漏洩電波干渉区間２８２内に位置する場合は、無線移動局２４０の前方右側のアンテナ２４１または後方右側のアンテナ２４２のいずれかのアンテナを適宜切替えて、無線基地局２１０からの信号を受信する。同様に、無線移動局２５０が漏洩電波干渉区間２８３内に位置する場合は、無線移動局２５０の前方右側のアンテナ２５１または後方右側のアンテナ２５２のいずれかのアンテナを適宜切替えて、無線基地局２２０からの信号を受信する。受信方法については、従来から良く知られているので、詳細な説明は省略する。
【先行技術文献】
【特許文献】
【００１２】
【特許文献１】特開２００４−３２８１２１号公報
【特許文献２】特開２００３−１７４３９８号公報
【発明の概要】
【発明が解決しようとする課題】
【００１３】
前述の従来技術では、電波干渉が起きているエリアでは、合成信号を受信することとなるが、それぞれの信号の伝播経路差により干渉を起こすため、干渉による劣化が発生し、信号単独で復調した場合の品質と同等か、それ以下となる。
【００１４】
本発明の目的は、複数の基地局と移動局との間の信頼性の高い通信を実現する無線通信システムを提供することである。
【００１５】
本発明の他の目的は、無線移動局が走行する沿線に沿って２系統の信号を送信することによってダイバーシチ受信ができる無線通信システムを提供することである。
【課題を解決するための手段】
【００１６】
上記目的を達成するために、本発明の無線通信システムは、中央装置と、該中央装置と結合される複数の基地局と、前記基地局と無線回線で接続される無線移動局と、該無線移動局の走行路に沿って配置され、前記基地局の各々に接続された２条の漏洩同軸ケーブルを有し、前記複数の基地局の各々は、前記２条の漏洩同軸ケーブルの各々に異なるダイバーシチ信号を送信し、前記移動局は、前記基地局の各々から送信された前記異なるダイバーシチ信号をそれぞれ受信する第１及び第２の受信部と、前記第１及び第２の受信部で受信した信号をダイバーシチ合成する合成部とを有するように構成されている。
【発明の効果】
【００１７】
以上、説明したように、本発明は、複数の基地局と移動局との間の信頼性の高い通信を行うことができる無線通信システムを実現することができる。また、複数の基地局ゾーンの干渉による受信の影響を低減するダイバーシチ受信システムを用いることができる無線通信システムを実現できる。
【図面の簡単な説明】
【００１８】
【図１】本発明の一実施例の概略構成を示すブロック図である。
【図２】従来の無線通信システムの一例の概略構成を示すブロック図である。
【図３】本発明の一実施例の中央装置の概略構成を示すブロック図である。
【図４】本発明の一実施例の基地局の概略構成を示すブロック図である。
【図５】本発明の一実施例の無線移動局の概略構成を示すブロック図である。
【発明を実施するための形態】
【００１９】
次に、本発明を実施するための形態を、以下の実施例に基づき図面を参照しつつ説明する。
【００２０】
図１は本発明の一実施例の概略構成を示す図である。図１の無線システムは、例えば、列車無線通信システムの構成例を示す。なお、図１は中央装置１３０から送信信号Ｓを無線移動局１４０あるいは１５０に送信する場合を示しているが、無線移動局１４０あるいは１５０から中央装置１３０への戻りの信号については、省略してある。図１において、１３０は中央装置、１１０は所定の基地局信号を送信する基地局であり、この基地局１１０は基地局ａ１および基地局ａ２で構成され、それぞれ異なる変調信号を送信するが、これについては後述する。また、１２０は基地局１１０とは異なる所定の基地局信号を送信する基地局であり、この基地局１２０は基地局ｂ１および基地局ｂ２で構成され、それぞれ異なる変調信号を送信するが、これについても後述する。１６０および１７０は信号分配器、１８０、１８１、１９０、１９１は漏洩同軸ケーブル（以下ＬＣＸケーブルと言う。）である。１４０および１５０は、例えば、列車等の無線移動局であり、線路上（図示せず。）を矢印の方向に走行するものとする。１４１は無線移動局１４０の前方右側のアンテナ、１４２は無線移動局１４０の前方左側のアンテナである。アンテナ１４１および１４２は後述するダイバーシチ受信アンテナを構成する。１５１は無線移動局１５０の前方右側のアンテナ、１５２は無線移動局１５０の前方左側のアンテナであり、アンテナ１５１および１５２は後述するダイバーシチ受信アンテナを構成する。
【００２１】
ＬＣＸケーブル１８０、１９０は無線移動局１４０の進行方向に対して右側のＬＣＸケーブル、ＬＣＸケーブル１８１、１９１は無線移動局１５０の進行方向に対して右側のＬＣＸケーブルである。１８２はＬＣＸケーブル１８０、１９０の境界に生じる漏洩電波干渉区間、１８３は無線移動局１５０の進行方向に対して右側のＬＣＸケーブル１８１、１９１の境界に生じる漏洩電波干渉区間である。また、ＬＣＸケーブル１８０から漏洩される信号を送信信号Ａ１、ＬＣＸケーブル１８１から漏洩される信号を送信信号Ｂ１、ＬＣＸケーブル１９０から漏洩される信号を送信信号Ａ２、ＬＣＸケーブル１９１から漏洩される信号を送信信号Ｂ２とする。なお、図１では、基地局１１０、１２０の２個の基地局のみ示してあるが、通常は無線移動局の沿線に沿って複数個の基地局が配置されていることはいうまでもない。
【００２２】
次に、基地局１１０および１２０について図４を用いて説明する。なお、基地局１１０および１２０は、異なる基地局識別信号を送信する以外は、同じような構成であるので、ここでは、基地局１１０について詳細に説明する。図４において、１８０、１８１は電波の輻射および受信を行うＬＣＸケーブルである。ＬＣＸケーブル１８０、１８１は中央装置１３０からの送信信号Ｓを輻射するが、無線移動局１４０あるいは１５０がダイバーシチ受信するために、基地局ａ１、ａ２では、例えば、異なる周波数で変調してＬＣＸケーブル１８０、１８１に供給する。
【００２３】
ここで、ダイバーシチ受信について説明する。ダイバーシチ受信方式には、アンテナを複数、物理的な位置を変えて配置する方式の空間ダイバーシチ受信方式、電波を受信する方向を変えた複数のアンテナを用意する角度ダイバーシチ受信方式、複数の周波数を用いる周波数ダイバーシチ受信方式および偏波面に応じてアンテナを複数用意する偏波ダイバーシチ受信方式があるが、いずれも本発明のダイバーシチ受信方式に適用できることはいうまでもない。従って、以下の説明では、これらのダイバーシチ受信方式の内、周波数ダイバーシチ受信方式を用いた実施例について説明する。なお、これらダイバーシチ受信方式で用いられる受信信号を異なるダイバーシチ信号と称することにする。
【００２４】
図４において、４０１は図１の基地局ａ１、４０２は図１の基地局ａ２に対応する。基地局４０１はアンテナ共用器４１１、受信機４１２、送信機４１３および基地局識別信号発生器４１４から構成されている。また、基地局４０２はアンテナ共用器４２１、受信機４２２、送信機４２３および合成部４２４から構成されている。
【００２５】
基地局１１０の動作を説明する。中央装置１３０から送信された信号Ｓは端子４１５を介して信号分配器１６０で分配されて、基地局１１０の基地局４０１および４０２にそれぞれ供給される。基地局４０１では、信号分配器１６０で分配された信号Ｓと、基地局識別信号発生器４１１から発生した基地局識別信号とが合成されて送信機４１３で変調される。ここで送信機４１３は周波数Ａ１で変調するものとする。送信機４１３で変調された変調信号Ａ１はアンテナ共用器４１１を経由して、常時ＬＣＸケーブル１８０に送信される。
【００２６】
一方、基地局４０２も、基地局４０１と同様の動作である。基地局４０２では、信号分配器１６０で分配された信号Ｓと、基地局４０１に備えられた基地局識別信号発生器４１４から発生した基地局識別信号とが合成されて送信機４２３で変調される。ここで送信機４２３は基地局４０１の送信器４１３とは異なる周波数である周波数Ｂ１で変調するものとする。送信機４２３で変調された変調信号Ｂ１は、アンテナ共用器４２１を経由して、常時ＬＣＸケーブル１８１に送信される。ＬＣＸケーブル１８０、１８１から漏洩する変調信号Ａ１および変調信号Ｂ１は、それぞれ無線移動局１４０のアンテナ１４１および１４２で受信される。なお、基地局識別信号発生部４１４、合成部４２４は、基地局４０１、４０２のいずれの側に設けてもよいことはいうまでもない。
【００２７】
次に、移動無線局からの送信信号について説明する。無線移動局１４０から返送された基地局指定信号はＬＣＸケーブル１８０、１８１、アンテナ共用器４１１、４２１を経由して受信機４１２、４２２で受信され、適宜信号処理され、合成部４２４へ送信される。合成部４２４は受信機４１２および４２２から送信された信号を合成し、合成した信号を端子４２５を介して中央装置１３０へ送信する。なお、本実施例では、合成部４２４で、受信機４１２、４２２の信号を合成するとして説明したが、無線移動局１４０からの信号の感度が十分得られる方の信号を受信するように切替器で構成することができることは勿論である。
【００２８】
以上、説明したように、基地局４０１（ａ１）からは変調信号Ａ１がＬＣＸケーブル１８０に送信され、一方、基地局４０２（ａ２）からは変調信号Ｂ１がＬＣＸケーブル１８１に送信される。このように基地局１１０では、異なる２つの変調信号Ａ１、Ｂ１を生成して、それぞれのＬＣＸケーブル１８０、１８１に送信することで、無線移動局１４０あるいは１５０がダイバーシチ受信を可能としている。
【００２９】
以上、基地局１１０の構成および動作について説明したが、基地局１２０についても同様である。基地局１２０は基地局ｂ１およびｂ２から構成される。中央装置から送信された信号Ｓは、信号分配器１７０で分配されてそれぞれ基地局ｂ１、ｂ２に供給される。基地局ｂ１では、分配された信号Ｓと、基地局識別信号とを合成し、さらに、周波数Ａ２で変調し、変調信号Ａ２をＬＣＸケーブル１９０に送信する。一方、基地局ｂ２でも、基地局ｂ１と同様に、信号分配器１７０で分配された信号Ｓと、基地局識別信号とを合成し、さらに、基地局ｂ１とは異なる周波数Ｂ２で変調し、変調信号Ｂ２をＬＣＸケーブル１９１に送信する。このように基地局１２０でも、基地局１１０と同様に、異なる２つの変調信号Ａ２、Ｂ２を生成して、それぞれのＬＣＸケーブルに送信することで、無線移動局１４０あるいは１５０がダイバーシチ受信を可能としている。
【００３０】
次に、中央装置１３０について説明する。図３は中央装置１３０の概略構成を示すブロック図である。中央装置１３０は基地局１１０および基地局１２０と接続され、基地局指定信号検出器３０１、３０２、受信系統切替器３０３、３０４、回線接続装置３０５から構成されている。なお、３０６、３０７は、電話等の端末装置４１５、４２５、３０８、３０９は、接続端子であり、４１５、４２５は、図４の基地局との接続端子、３０８、３０９は、基地局ｂ１、ｂ２との接続端子である。
【００３１】
中央装置１３０の動作を説明する。中央装置１３０には、基地局１１０、基地局１２０が接続され、中央装置１３０の、例えば、回線接続装置３０５から送られてくる送信信号Ｓを送信系統切替器３０３を介して基地局１１０および基地局１２０に適宜切替えて送信する。切替のタイミングは無線移動局１４０あるいは１５０が走行している位置によって切替えられる。また、基地局１１０および基地局１２０から返送された基地局指定信号は、それぞれ基地局指定信号検出器３０１、３０２で検出され、基地局指定信号検出器３０１および３０２で検出された基地局指定信号に基づいて、受信系統切替器３０４を切替えて受信する基地局１１０あるいは基地局１２０を選択する。
【００３２】
次に、無線移動局１４０について説明する。なお、無線移動局１５０は無線移動局１４０と同様であるので、詳細な説明は省略する。図５は無線移動局１４０の概略構成を示すブロック図である。無線移動局１４０は受信アンテナ５０１、受信ＲＦ部５０２、復調部５０３、合成部５０４、復号部５０５、回線接続装置５０６、符号化部５０９、変調部５１０、送信ＲＦ部５１１、共用器５１２、送受信共用アンテナ５１３、受信ＲＦ部５１４および復調部５１５で構成されている。なお、受信アンテナ５０１は、例えば、図１に示すアンテナ１４１に対応し、送受信共用アンテナ５１３は図１に示すアンテナ１４２に対応する。
【００３３】
次に、無線移動局１４０の動作を説明する。ＬＣＸケーブル１８０から輻射される送信信号Ａ１は、受信アンテナ５０１で受信され、受信ＲＦ部５０２で増幅、周波数変換等の処理が行われ、復調部５０３に供給される。復調部５０３では、デジタル復調が行われ、複素信号であるベースバンド信号として合成部５０４に出力される。尚、受信アンテナ５０１、受信ＲＦ部５０２および復調部５０３で構成される系を第１受信部と称することにする。
【００３４】
一方、これと同じように第２受信部が設けられている。第２受信部は送受信共用アンテナ５１３、受信ＲＦ部５１４および復調部５１５で構成されている。ＬＣＸケーブル１８１から輻射される送信信号Ｂ１は、送受信共用アンテナ５１３で受信される。受信ＲＦ部５１４で増幅、周波数変換等の処理が行われ、復調部５１５に供給される。復調部５１５では、デジタル復調が行われ、複素信号であるベースバンド信号として合成部５０４に出力される。これら第１受信部と第２受信部の出力は、合成部３０４で合成、例えば、加算演算される。
【００３５】
合成の方法は種々考えられるが、代表的なものとして最大合成法がある。これは各々の受信部に信号のＳ／Ｎ（信号電力対雑音電力比）、または、Ｃ／Ｎ（キャリア電力対雑音電力比）に応じて入力信号に個々に重み付けを行い、合成出力信号のＳ／Ｎ、または、Ｃ／Ｎが最大となるように重み付け係数を制御するものである。合成部５０４で最大比合成された出力信号は、復号部５０５で復号され、回線接続装置５０６から受信信号が出力される。尚、復号部５０５は、例えば、Ｉ−Ｑ座標軸で直交変調されて送られてくる信号を元の信号に復号するもので、これについては良く知られているので詳細な説明は省略する。
【００３６】
さて、上記のようにして、ダイバーシチ受信した信号の品質が図２で説明した従来の受信方法より優れていることについて詳細に説明する。移動局１４０はＬＣＸケーブル１８０および１８１のカバーエリア内では、ＬＣＸケーブル１８０および１８１から漏洩される送信信号Ａ１およびＢ１を受信することになる。即ち、アンテナ５０１では、送信信号Ａ１を、また、送受信共用アンテナ５１３では、送信信号Ｂ１を受信する。これら送信信号Ａ１、Ｂ１が合成部５０４で合成されるため、合成信号（Ａ１＋Ｂ１）を受信することとなる。ここで、Ａ１、Ｂ１は、同じ信号であるが、前述したように異なる周波数である。従って、これら２つの合成信号は周波数ダイバーシチ受信方式となり、無線移動局１４０で復調した際に得られる信号Ｓ３の品質は、係数を省略すると（３）式で表される。
【００３７】
Ｓ３＝Ａ１＋Ｂ１＝α３＋γ１・・・・・（３）
ここで、α３は漏洩される信号Ａ１単独で復調した場合の品質、γ１はダイバーシチ利得を表す。（３）式から明らかなように無線移動局１４０での合成信号を復調した場合の品質は、ＬＣＸケーブル１８０から漏洩される信号Ａ１を単独で復調した場合の品質（α３）以上となり、ダイバーシチ効果が得られることがわかる。
【００３８】
同様に、無線移動局１５０はＬＣＸケーブル１９０および１９１のカバーエリア内では、ＬＣＸケーブル１９０および１９１から漏洩される信号Ａ２およびＢ２の合成信号（Ａ２＋Ｂ２）を受信することとなる。ここで、Ａ２、Ｂ２は、同じ信号であるが、前述したように異なる周波数である。従って、これら２つの合成信号は周波数ダイバーシチ受信方式となり、無線移動局１５０で復調した際に得られる信号Ｓ４の品質は、係数を省略すると（４）式で表される。
【００３９】
Ｓ４＝Ａ２＋Ｂ２＝α４＋γ２・・・・・（４）
ここで、α４は漏洩される信号Ｂ２単独で復調した場合の品質、γ２はダイバーシチ利得を表す。（４）式から明らかなように無線移動局１５０での合成信号を復調した場合の品質は、ＬＣＸケーブル１９１から漏洩される信号Ｂ２を単独で復調した場合の品質（α４）以上となり、ダイバーシチ効果が得られることがわかる。
【００４０】
次に、無線移動局１４０からの送信信号について説明する。回線接続装置５０６から入力される送信信号は、符号化部５０９で符号化され、変調部５１０、送信ＲＦ部５１１で変調、周波数変換等の処理が行われ、共用器５１２を介して送受信共用アンテナ５１３から基地局１１０へ送信される。基地局１１０では、受信した信号を図４で説明した処理を行い、中央装置１３０に送信し、中央装置１３０では、それぞれの基地局指定信号を検出し、無線移動局の進行に合わせて基地局を順次切替える制御を行う。
【００４１】
以上、本発明によれば、それぞれの基地局で送信ダイバーシチ信号を２系統形成し、２条のＬＣＸケーブルにそれぞれの信号を送信することにより無線移動局側でダイバーシチ受信することができ、ダイバーシチ効果を得ることができるので、複数の基地局と移動局との間の信頼性の高い通信を実現することができる。
【００４２】
以上、本発明について詳細に説明したが、本発明はここに記載された無線通信システムの実施例に限定されるものではなく、他の無線通信システムにも適用できることはいうまでもない。
【符号の説明】
【００４３】
１１０、１２０、２１０、２２０：基地局、  １３０、２３０：中央装置、  １４０、１５０、２４０、２５０：無線移動局、  １４１、１４２、１５１、１５２、２４１、２４２、２５１、２５２：アンテナ、  １６０、１７０、２６０、２７０：信号分配器、  １８０、１８１、１９０、１９１、２８０、２８１、２９０、２９１：ＬＣＸ（漏洩同軸ケーブル）、  １８２、１８３、２８２、２８３：漏洩電波干渉区間、  ３０１、３０２：基地局指定信号検出器、  ３０３：送信系統切替器、  ３０４：受信系統切替器  ３０５、５０６：回線接続装置、  ３０６、３０７：端末、  ４０１：基地局ａ１、  ４０２：基地局ａ２、  ４１１、４２１：アンテナ共用器、  ４１２、４２２：受信機、  ４１３、４２３：送信機、  ４１４：基地局識別信号発生部４１４、  ４２４：合成部、  ４１５、４２５：入出力端子、  ５１０：受信アンテナ、  ５０２、５１４：受信ＲＦ部、  ５０３、５１５：復調部、  ５０４：合成部、  ５０５：復号部、  ５０９：符号化部、  変調部：５１０、  ５１１：送信ＲＦ部、  ５１２：共用器、  ５１３：送受信共用アンテナ。
【図１】
2010183418.tif 000003
【図２】
2010183418.tif 000004
【図３】
2010183418.tif 000005
【図４】
2010183418.tif 000006
【図５】
2010183418.tif 000007